(57)【要約】【課題】使用後に簡単に折り畳んで廃棄することができるとともに、美粧性に優れ、容器としてのデザイン効果も高めることができる折り畳み可能なプラスチック容器を提供する。【解決手段】胴部１と、胴部の上端に連なる肩部２と、肩部の先端中央部に形成された注出口部３と、胴部の下端に連なる容器底部４とを備えた折り畳み可能なプラスチック容器において、胴部１の正面壁１ａと裏面壁１ｂに、胴部下端に位置して、平面形状略木の葉形をした大中小の３個一組からなる凹陥部１５，１６，１７を、横幅の中央部を中心として左右の側壁１ｃ，１ｄまで達するように左右対称にハの字状に形成するとともに、胴部１の左右の側壁１ｃ，１ｄには、断面略台形状になるリブ１８を側壁横幅の中央部に位置して上下方向に突設した。【選択図】      図７
2004338734.tif 000002
【特許請求の範囲】
【請求項１】
胴部と、胴部の上端に連なる肩部と、肩部の先端中央部に形成された注出口部と、胴部の下端に連なる容器底部とを備えた折り畳み可能なプラスチック容器であって、
前記胴部の正面壁と裏面壁には、胴部下端または上端あるいは上下両端に位置して、平面形状略卵形をした複数個の凹陥部が横幅の中央部を中心として左右対称に水平に形成されているとともに、
前記胴部の左右の側壁には、胴部下端または上端あるいは上下両端に位置して、平面形状略曲玉（まがたま）形をした複数個の小凹陥部が横幅の中央部を中心として左右対称にハの字状に形成されていることを特徴とするプラスチック容器。
【請求項２】
胴部と、胴部の上端に連なる肩部と、肩部の先端中央部に形成された注出口部と、胴部の下端に連なる容器底部とを備えた折り畳み可能なプラスチック容器であって、
前記胴部の正面壁と裏面壁には、胴部下端または上端あるいは上下両端に位置して、平面形状略木の葉形をした複数個の凹陥部が横幅の中央部を中心として左右の側壁まで達するように左右対称にハの字状に形成されていることを特徴とするプラスチック容器。
【請求項３】
前記胴部の左右の側壁には、側壁横幅の中央部に位置して、上下方向にリブが突設されていることを特徴とする請求項１または２記載のプラスチック容器。
【発明の詳細な説明】
【０００１】
【発明の属する技術分野】
本発明は、使用後、簡単に折り畳んで廃棄可能なプラスチップ容器に関するものである。
【０００２】
【従来の技術】
プラスチック容器の廃棄や回収にあたり、容器を折り畳んで小さくすることにより、廃棄や回収の効率化を図ることが広く行われている。このような目的のため、従来より、例えば、容器の胴部まわりに折り誘導用の溝やリブを形成したもの（特許文献１〜５参照）、胴部を蛇腹状として折り畳むようにしたもの（特許文献６〜８参照）、胴部にダイヤカットなどを施して潰せるようにしたもの（特許文献９，１０参照）など、種々の折り畳み可能なプラスチック容器が提案されている。
【０００３】
【特許文献１】
特開２００３−２３１４号公報（全文、全図）
【特許文献２】
特開２００２−３４７７３３号公報（全文、全図）
【特許文献３】
特開２００２−３２６６２１号公報（全文、全図）
【特許文献４】
特開２００１−２１９９４８号公報（全文、全図）
【特許文献５】
特開２００１−７２０３０号公報（全文、全図）
【特許文献６】
特開昭２００２−３２６６２０号公報（全文、全図）
【特許文献７】
特開昭２００２−５３５２１２号公報（全文、全図）
【特許文献８】
特開平１０−１９４２５５号公報（全文、全図）
【特許文献９】
特開２００２−３０８２４４号公報（全文、全図）
【特許文献１０】
特開２００２−１９３２３１号公報（全文、全図）
【０００４】
【発明が解決しようとする課題】
しかしながら、従来の折り畳み可能なプラスチック容器は、折り畳み機能のみを念頭において開発されているため、製品として最も目立ちやすい容器の胴部まわりに、溝、リブ、蛇腹状のヒダ、ダイヤカット面などが形成され、容器のデザイン上からみた美粧性に欠けるというきらいがあった。
【０００５】
本発明は、上記問題を解決するためになされたもので、使用後に簡単に折り畳んで廃棄できるとともに、美粧性に優れ、容器としてのデザイン効果も高めることができる折り畳み可能なプラスチック容器を提供することを目的とするものである。
【０００６】
【課題を解決するための手段】
上記目的を達成するため、請求項１に係るプラスチック容器は、胴部の正面壁と裏面壁に、胴部下端または上端あるいは上下両端に位置して、平面形状略卵形をした複数個の凹陥部を、横幅の中央部を中心として左右対称に水平に形成するとともに、胴部の左右の側壁には、胴部下端または上端あるいは上下両端に位置して、平面形状略曲玉（まがたま）形をした複数個の小凹陥部を、横幅の中央部を中心として左右対称にハの字状に形成したものである。
【０００７】
また、請求項２に係るプラスチック容器は、胴部の正面壁と裏面壁に、胴部下端または上端あるいは上下両端に位置して、平面形状略木の葉形をした複数個の凹陥部を、横幅の中央部を中心として左右の側壁まで達するように左右対称にハの字状に形成したものである。
【０００８】
また、請求項３に係るプラスチック容器は、前記請求項１または２記載のプラスチック容器において、胴部の左右の側壁に、側壁横幅の中央部に位置して、上下方向にリブを突設したものである。
【０００９】
上記のような構成とした場合、凹陥部やリブに沿って容器を簡単に押し潰して折り畳むことができるとともに、凹陥部の形状を略卵形、略曲玉形、略木の葉形など、独特な形状としたので、従来の容器に比べて美粧性に優れたものとなり、容器としてのデザイン効果も格段に高めることができる。
【００１０】
【発明の実施の形態】
以下、本発明の実施の形態について図面を参照して説明する。
図１〜図６に本発明に係るプラスチック容器の第１の実施の形態を示す。
この第１の実施の形態に係るプラスチック容器は、台所洗剤用詰替え容器に適用した場合の例を示すものであって、その全体をポリエチレンテレフタレート（ＰＥＴ）樹脂で作られており、図１、図２に示すように、胴部１と、胴部１の上端に連なる円弧状の肩部２と、肩部２の先端中央部に形成された注出口部３と、胴部１の下端に連なる容器底部４とから構成されている。
【００１１】
胴部１は、正面（図１）幅約６８ｍｍ、側面（図２）幅約５１ｍｍからなる周面全体に丸みを付けられた断面略角筒体（図３参照）とされており、正面壁１ａと裏面壁１ｂはその上下端部を緩やかな曲線で外方に向けて開かれ（図２参照）、側面幅５６ｍｍの肩部２と容器底部４にそれぞれ連接されている。なお、胴部１は、廃棄時に折り畳み可能とするために、その肉厚を約０．４ｍｍとされている。
【００１２】
胴部１の正面壁１ａには、図１に示すように、胴部下端に位置して、平面形状が略卵形をした２個一対の凹陥部５が、正面壁１ａの横幅の中央部を中心として左右対称に水平に形成されている。同じく、反対側の裏面壁１ｂにも、平面形状が略卵形をした２個一対の凹陥部５が、裏面壁１ｂの横幅の中央部を中心として左右対称に水平に形成されている（図３参照）。
【００１３】
前記２個一対の凹陥部５，５は、容器の折り畳み時に左右の親指と左右の人差し指を表裏面からそれぞれ押し当て、該部から容器を押し潰していくための押し潰し案内用の凹陥部であり、図４（ａ）（ｂ）に示すように、最大長さ約１７ｍｍ、最大幅約１１ｍｍの略卵形とされており、その断面は最大深さ約２ｍｍのＶ字形断面とされている。この２個一対の凹陥部５，５は、図１に示すように、容器底部４から上方約２２ｍｍの位置に、お互いの離間距離約４ｍｍをおいて左右対称に水平に配置されている。
【００１４】
一方、胴部１の右側壁１ｄには、図２に示すように、胴部下端に位置して、平面形状が略曲玉（まがたま）形をした２個一対の小凹陥部６，６が、右側壁１ｄの横幅の中央部を中心として左右対称にハの字状に形成されている。同じく、左側壁１ｃにも、平面形状が略曲玉形をした２個一対の小凹陥部６，６が、左側壁１ｃの横幅の中央部を中心として左右対称にハの字状に形成されている（図３参照）。
【００１５】
前記小凹陥部６，６は、凹陥部５，５の位置から押し潰される容器の折り方向を容器側面に向かって誘導するとともに、折り位置を規制するための折り誘導用の凹陥部であり、図５（ａ）（ｂ）に示すように、最大長さ約１８ｍｍ、最大幅約４ｍｍの略曲玉形とされており、その断面は最大深さ約２ｍｍのＶ字形断面とされている。この２個一対の小凹陥部６，６は、図２に示すように、容器底部４から上方約１６ｍｍの位置に、お互いの離間距離約６ｍｍをおいて左右対称にハの字状に配置されている。
【００１６】
上記第１の実施の形態に係るプラスチック容器は、正面壁１ａと裏面壁１ｂの下端部に、押し潰し位置案内用の略卵形をした２個一対の凹陥部５，５をそれぞれ形成するとともに、左右の側壁１ｃ，１ｄの下端部には、折り誘導と折り位置規制するための２個一対の小凹陥部６，６をそれぞれ形成している。これらの凹陥部５，５と小凹陥部６，６は、それぞれその形状を略卵形と略曲玉形とされており、従来の折り畳み可能なプラスチック容器で採用されている溝やリブ、蛇腹状のヒダ、ダイヤカット面などと異なり、美的感覚に優れ、見た目がよく、美麗なデザイン模様として認識されるようになる。したがって、従来のプラスチック容器のように折り畳み機能一辺倒に偏ることなく優れたデザイン効果を発揮し、美粧性に優れた容器となる。
【００１７】
一方、上記第１の実施の形態に係るプラスチック容器は、容器の廃棄あるいは回収に際し、次のようにして容器を簡単に押し潰し、小さく折り畳むことができる。すなわち、空のプラスチック容器を両手で持ち、正面壁１ａの２つの凹陥部５，５に左右の親指の先を当てるとともに、裏面壁１ｂの２つの凹陥部５，５には左右の人差し指（または中指）をそれぞれ押し当てる。そして、この状態で指に力を入れていき、胴部１の下端を凹陥部５，５に沿って押し潰していく。表裏面の凹陥部５，５の付近が押し潰されていくと、その折りは左右の側壁１ｃ，１ｄに向かって拡がって行くが、このとき左右の側壁に形成した小凹陥部６，６によって折りが誘導され、側面の折りは小凹陥部６，６に沿って進んでいく。
【００１８】
折りが左右の側壁まで達したら、そのまま親指と人差し指で左右の側壁を押し潰しながら肩部２へ向かって容器側壁を押し潰していく。肩部下縁まで押し潰すと、容器は、図６に示すように、胴部全体が薄く扁平に押し潰された状態となる。したがって、この扁平に押し潰された容器の底部４を表側に持ち上げて上方へ折り返し、そのまま肩部２へ向けて回すように折り畳んでいけば、容器全体を小さく折り畳むことができる。このようにして折り畳まれた容器は、その容積が極めて小さなものとなり、廃棄や回収時の運搬効率を格段に向上することができる。
【００１９】
なお、上記第１の実施の形態では、凹陥部５，５と小凹陥部６，６を胴部１の下端側に形成したが、下端側に代えて胴部１の上端側に形成してもよいし、下端側と上端側の両方に形成してもよいものである。上端側に形成する凹陥部５，５と小凹陥部６，６は、その向きを図１、図２とは上下逆向きとする。
【００２０】
図７〜図１３に本発明に係るプラスチック容器の第２の実施の形態を示す。
この第２の実施の形態に係るプラスチック容器は、前記第１の実施の形態と同じく台所洗剤用詰替え容器に適用した場合の例を示すものであって、その全体をポリエチレンテレフタレート（ＰＥＴ）樹脂で作られており、図７、図８に示すように、筒状の胴部１１と、胴部１１の上端に連なる円弧状の肩部１２と、肩部１２の先端中央部に形成された注出口部１３と、胴部１１の下端に連なる容器底部１４とから構成されている。
【００２１】
胴部１１は、正面（図７）幅約６８ｍｍ、側面（図８）幅約５２ｍｍからなる周面全体に丸みを付けられた断面略角筒体（図９，図１０参照）とされており、正面壁１１ａと裏面壁１１ｂはその上下端部を緩やかな曲線で外方に向けて開かれ（図８参照）、側面幅約５７ｍｍの肩部１２と容器底部１４にそれぞれ連接されている。なお、胴部１１は、廃棄時に折り畳み可能とするために、その肉厚を約０．４ｍｍとされている。
【００２２】
胴部１１の正面壁１１ａには、胴部下端に位置して、平面形状が略木の葉形をした３個一組の凹陥部１５，１６，１７が、正面壁１１ａの横幅の中央部を中心として左右の側壁１１ｃ，１１ｄまで達するように、左右対称にハの字状に形成されている。同じく、反対側の裏面壁１１ｂにも、平面形状が略木の葉形をした３個一組の凹陥部１５，１６，１７が、裏面壁１１ｂの横幅の中央部を中心として左右の側壁１１ｃ，１１ｄまで達するように、左右対称にハの字状に形成されている（図９参照）。
【００２３】
前記３個一組の凹陥部１５，１６，１７のうち、面積の大きな大凹陥部１５は、容器の折り畳み時に左右の親指と左右の人差し指を表裏面からそれぞれ押し当て、容器を押し潰していくための押し潰し案内用の凹陥部であり、図１１に示すように、最大長さ約１９ｍｍ、最大幅約１０ｍｍの略木の葉形とされており、その断面は、図１２（ａ）に示すように、最大深さ約２ｍｍのＶ字形断面とされている。
【００２４】
中凹陥部１６および小凹陥部１７は、大凹陥部１５の位置から押し潰される容器の折り方向を容器側面に向かって誘導するとともに、折り位置を規制するための折り誘導用の凹陥部である。中凹陥部１６は、図１１に示すように、最大長さ約９ｍｍ、最大幅約４ｍｍの略木の葉形とされており、その断面は、図１２（ｂ）に示すように、最大深さ約２ｍｍのＶ字形断面とされている。また、小凹陥部１７は、図１１に示すように、最大長さ約１０ｍｍ、最大幅約３ｍｍの略木の葉形とされており、その断面は、図１２（ｃ）に示すように、最大深さ約２ｍｍのＶ字形断面とされている。
【００２５】
前記３個一組の凹陥部１５，１６，１７は、図７に示すように、容器底部１４から上方約２６ｍｍの位置に、お互いの離間距離約１６ｍｍをおいて左右対称にハの字状に配置されている。
【００２６】
一方、左右の側壁１１ｃ，１１ｄは、図７に示すように、胴部１１の上端付近から前記大中小の凹陥部１５，１６，１７の下端付近まで、内側に緩やかに入り込む凹曲面状に形成されており、図８に示すように、この凹曲面状をした左右の側壁１１ｃ，１１ｄの横幅中央部に位置して、断面略台形状になるリブ１８が上下方向に形成されている（図１０参照）。このリブ１８は、容器側面の折り誘導用の突起であって、最大高さ３ｍｍ、頂部幅４ｍｍ、基部幅８ｍｍの台形状とされている。
【００２７】
上記第２の実施の形態に係るプラスチック容器は、３個一組の凹陥部１５，１６，１７が、正面壁１１ａ、裏面壁１１ｂの横幅の中央部をそれぞれ中心として左右の側壁１１ｃ，１１ｄまで達するように、左右対称にハの字状にそれぞれ形成されている。これらの３個一組の凹陥部１５，１６，１７はその平面形状を大中小の木の葉形状とされ、しかも左右対称にハの字状に配置されているため、あたかも木の葉が左右に舞い落ちていくように見える。このため、従来の容器で採用されている溝やリブ、蛇腹状のヒダ、ダイヤカット面などと異なり、美的感覚に優れたものとなり、見た目がよく、美麗なデザイン模様として認識されるようになる。したがって、従来の容器のように折り畳み機能一辺倒に偏ることなく優れたデザイン効果を発揮し、美粧性に優れた容器となる。
【００２８】
一方、上記第２の実施の形態に係るプラスチック容器は、容器の廃棄あるいは回収に際し、次のようにして容器を簡単に押し潰し、小さく折り畳むことができる。すなわち、空のプラスチック容器を両手で持ち、正面壁１１ａの２つの大凹陥部１５，１５に左右の手の親指の先を当てるとともに、裏面壁１１ｂの２つの大凹陥部１５，１５には左右の人差し指（または中指）をそれぞれ押し当てる。そして、この状態で指に力を入れていき、胴部１１の下端を凹陥部１５，１５に沿って押し潰していく。凹陥部１５，１５の付近が押し潰されていくと、その折りは左右の側壁１１ｃ，１１ｄに向かって拡がって行くが、このとき左右の側壁にまたがるように形成した中小の凹陥部１６，１７によって折りが誘導され、側面の折りは中小の凹陥部１６，１７に沿って進んでいく。
【００２９】
折りが左右の側壁まで達したら、そのまま親指と人差し指で左右の側壁を押し潰しながら肩部１２に向かって容器側壁を押し潰していく。容器側壁を押し潰していくと、左右の側壁１１ｃ，１１ｄに形成した断面台形状のリブ１８によって折り位置と方向が誘導され、胴部１はリブ１８に沿って肩部１２の下縁まで折り畳まれていく。肩部下縁まで押し潰すと、図１３に示すように、胴部全体が薄く扁平に押し潰された状態となる。したがって、この薄く押し潰された容器の底部１４を表側に持ち上げて上方へ折り返し、そのまま肩部１２へ向けて回すように折り畳んでいけば、容器全体を小さく折り畳むことができる。このようにして折り畳まれた容器は、その容積が極めて小さなものとなり、廃棄や回収時の運搬効率を格段に向上することができる。
【００３０】
なお、上記第２の実施の形態では、３個１組の凹陥部１５，１６，１７を胴部１１の下端側に形成したが、下端側に代えて胴部１１の上端側に形成してもよいし、下端側と上端側の両方に形成してもよいものである。上端側に形成する凹陥部１５，１６，１７は、その向きを図７、図８とは上下逆向きとする。
【００３１】
また、上記第２の実施の形態では、左右の側壁１１ｃ、１１ｄにリブ１８を形成したが、このリブ１８は容器をより折り畳みやすくするための補助的役割を担うものであり、省略することも可能である。一方、前述した第１の実施の形態ではこのリブを形成していないが、左右の側壁１ｃ、１ｄの横幅中央部に位置して、前記第２の実施の形態と同様なリブを上下方向に形成してもよいものである。胴部側壁にリブを形成すれば、さらに折り畳みやすくすることができる。
【００３２】
【実施例】
本発明のプラスチック容器と従来の折り畳み可能なプラスチック容器について、容器壁の押し潰し性能比較実験を行った。実験に用いたプラスチック容器は、以下の４種類である。いずれも、容器の材質はポリエチレンテレフタレート（ＰＥＴ）樹脂であり、胴部の肉厚は０．４ｍｍとした。
【００３３】
▲１▼本発明の第１の実施の形態（図１，図２）と同じ形状になるプラスチック容器（以下「実施例１」という）。なお、容器のサイズは、第１の実施の形態と同じく、胴部正面幅６８ｍｍ、胴部側面幅５１ｍｍ、肩部・容器底部の側面幅５６ｍｍ、容器全高１８９ｍｍである。
▲２▼本発明の第２の実施の形態（図７，図８）と同じ形状になるプラスチック容器（以下「実施例２」という）。なお、容器のサイズは、第２の実施の形態と同じく、胴部正面幅６８ｍｍ、胴部側面幅５２ｍｍ、肩部・容器底部の側面幅５７ｍｍ、容器全高１８９ｍｍである。
▲３▼図１４に示すように、胴部２１の周面に凹陥部やリブなどを何ら形成していない従来のプラスチック容器（以下「機能付加なし容器」という）。なお、容器の形状とサイズは前記▲１▼のものと同じであり、異なる点は胴部下端に凹陥部５，６が形成されていない点だけである。
▲４▼図１５に示すように、胴部３１の下端部に周面を一周するリブ３２を形成した従来のプラスチック容器（以下「全周リブ容器」という）。なお、容器の形状とサイズは前記▲１▼のものと同じであり、異なる点は胴部下端に凹陥部５，６に代えてリブ３２を形成した点だけである。
【００３４】
上記４種類のプラスチック容器についての押し潰し性能の比較実験結果を図１６に示す。なお、容器壁の押圧位置は、容器底部から上へ約３０ｍｍ、正面横幅の中央部から左右へ７．５ｍｍ（離間幅１５ｍｍ）離れた２個所を押圧試験機で同時に押圧し、その時の押し込み量（ｍｍ）に対する容器壁の反力（Ｋｇ・ｆ）を測定した。
【００３５】
上記実験結果から、次のような知見が得られた。
（１）基本的に、すべての容器で押し込み量に比例して反力が上昇する。
（２）機能付加なし容器では、押し込み量と反力との間に典型的な比例関係がある。
（３）全周リブ容器では、８ｍｍ押し込んだ時点から座屈が始まり、一時反力が低下した後、反力が再び比例的に上昇する。
（４）本発明の実施例１では、１７ｍｍ押し込んだ時点から反力が低下し、その後再び比例的に上昇した。
（５）本発明の実施例２では、６ｍｍ押し込んだ時点で１度目、１５ｍｍ押し込んだ時点で２度目の反力低下が見られた。
【００３６】
上記実験結果より、本発明の実施例２の場合、押し込み量６ｍｍの小さな位置で反力の低下、すなわち容器壁の圧潰が始まっており、従来例たる機能付加なし容器や全周リブ容器ほどの強い力を加えることなしに簡単に容器壁を押し潰せることが証明された。また、本発明の実施例１の場合、押し込み量１７ｍｍで容器壁の圧潰が始まっており、全周リブ容器ほどではないが、機能付加なし容器よりも小さな力で押し潰せることが証明された。このように、本発明によれば、美粧性に富んだ凹陥部を形成しながら、良好な押し潰し性能を実現できることが分かった。
【００３７】
次に、上記４種類のプラスチック容器の圧縮強度実験を行った。各容器について注出口部を垂直上方から下方へ向けて押圧していった時の容器の圧縮方向への変形量（ｍｍ）と、その時の容器の圧縮抵抗反力（Ｋｇ・ｆ）を測定した。その実験結果を図１７に示す。
【００３８】
図１７から、本発明の実施例１の場合、機能付加なし容器と圧縮強度にほとんど差がないことが分かった。また、本発明の実施例２の場合、機能付加なし容器には及ばないが、全周リブ容器よりも圧縮強度が高いことが分かった。
【００３９】
以上、本発明の実施の形態と実施例について説明したが、本発明はこれらに何ら限定されるものではなく、本発明の主旨を逸脱しない範囲内において種々の変形ならびに変更が可能であることは言うまでもない。
【００４０】
【発明の効果】
以上説明したように、本発明のプラスチック容器によれば、容器壁面に形成される容器折り畳みのための凹陥部の形状を略卵形、略曲玉形、略木の葉形など、独特な形状としたので、従来と同様に使用後に簡単に折り畳んで廃棄することができるとともに、美粧性にも優れたものとなり、容器としてのデザイン効果を格段に高めることができる。
【図面の簡単な説明】
【図１】第１の実施の形態に係るプラスチック容器の正面図である。
【図２】第１の実施の形態に係るプラスチック容器の側面図である。
【図３】図１中のＡ−Ａ線断面図である。
【図４】第１の実施の形態における凹陥部の形状を示すもので、（ａ）は拡大正面図、（ｂ）は（ａ）中のＢ−Ｂ線断面図である。
【図５】第１の実施の形態における小凹陥部の形状を示すもので、（ａ）は拡大正面図、（ｂ）は（ａ）中のＣ−Ｃ線断面図である。
【図６】第１の実施の形態に係るプラスチック容器の折り畳み方法の説明図である。
【図７】第２の実施の形態に係るプラスチック容器の正面図である。
【図８】第２の実施の形態に係るプラスチック容器の側面図である。
【図９】図７中のＤ−Ｄ線断面図である。
【図１０】図７中のＥ−Ｅ線断面図である。
【図１１】第２の実施の形態における大中小の凹陥部の形状を示す拡大平面図である。
【図１２】大中小の凹陥部の断面形状を示すもので、（ａ）は大凹陥部の最大幅部分における拡大断面図、（ｂ）は中凹陥部の最大幅部分における拡大断面図、（ｃ）は小凹陥部の最大幅部分における拡大断面図である。
【図１３】第２の実施の形態に係るプラスチック容器の折り畳み方法の説明図である。
【図１４】従来の機能付加なし容器の正面図である。
【図１５】従来の全周リブ容器の正面図である。
【図１６】本発明のプラスチック容器と従来の折り畳み可能なプラスチック容器における容器壁の押し潰し性能の比較実験結果を示すグラフである。
【図１７】本発明のプラスチック容器と従来の折り畳み可能なプラスチック容器における圧縮強度の測定結果を示すグラフである。
【符号の説明】
１    胴部
１ａ  正面壁
１ｂ  裏面壁
１ｃ  左側壁
１ｄ  右側壁
２    肩部
３    注出口部
４    容器底部
５    凹陥部
６    小凹陥部
１１  胴部
１１ａ  正面壁
１１ｂ  裏面壁
１１ｃ  左側壁
１１ｄ  右側壁
１２    肩部
１３  注出口部
１４  容器底部
１５  大凹陥部
１６  中凹陥部
１７  小凹陥部
１８  リブ
２１  胴部
３１  胴部
３２  周面を一周するリブ
【図１】
2004338734.tif 000003
【図２】
2004338734.tif 000004
【図３】
2004338734.tif 000005
【図４】
2004338734.tif 000006
【図５】
2004338734.tif 000007
【図６】
2004338734.tif 000008
【図７】
2004338734.tif 000009
【図８】
2004338734.tif 000010
【図９】
2004338734.tif 000011
【図１０】
2004338734.tif 000012
【図１１】
2004338734.tif 000013
【図１２】
2004338734.tif 000014
【図１３】
2004338734.tif 000015
【図１４】
2004338734.tif 000016
【図１５】
2004338734.tif 000017
【図１６】
2004338734.tif 000018
【図１７】
2004338734.tif 000019